(57)【要約】  【課題】  消灯時にも、デッドボルトによる施錠／解錠の状態を容易に把握できる扉用錠装置を提供する。  【解決手段】  ノブ６と、ノブ６が回動することにより、ラッチするラッチボルト８と、サムターン９と、サムターン９が回動することにより、扉３を施錠／解錠するデッドボルト１０とを備える扉用錠装置であり、サムターン９は、室内側に露出する基底面９ｂと、基底面９ｂから室内側へ突出するつまみ９ａとを有し、基底面９ｂとつまみ９ａの前面とのうち、一方のみに発光部材を付着させ、他方には発光部材を付着させないことにより、消灯状態においてつまみの前面が基底面から浮き上がる明暗パターンを形成する。発光部材は、蓄光素材及び蛍光素材の少なくとも一方を含む。【選択図】  図１
2012067528.tif 000002
【特許請求の範囲】
【請求項１】
ノブと、
前記ノブが回動することにより、ラッチするラッチボルトと、
サムターンと、
前記サムターンが回動することにより、扉を施錠／解錠するデッドボルトとを備える扉用錠装置であって、
前記サムターンは、
室内側に露出する基底面と、
前記基底面から室内側へ突出するつまみとを有し、
前記基底面と前記つまみの前面とのうち、一方のみに発光部材を付着させ、他方には発光部材を付着させないことにより、消灯状態において前記つまみの前面が前記基底面から浮き上がる明暗パターンを形成することを特徴とする扉用錠装置。
【請求項２】
前記発光部材は、蓄光素材及び蛍光素材の少なくとも一方を含む請求項１記載の扉用錠装置。
【請求項３】
前記基底面には発光部材が付着されておらず、前記つまみの前面のみに発光部材が付着させてある請求項１記載の扉用錠装置。
【請求項４】
前記つまみの前面には発光部材が付着されておらず、前記基底面のみに発光部材が付着させてある請求項１記載の扉用錠装置。
【発明の詳細な説明】
【技術分野】
【０００１】
本発明は、夜間の視認性を向上した扉用錠装置に関するものである。
【背景技術】
【０００２】
扉に設けられる扉用錠装置を構成する部品は、例えばノブのように、通常鋳鉄や黄銅を素材とする鋳造や、アルミダイカストによって製造され、しばしば、金属の単一素材のままで製品化される。よって、これらの部品の表面は、通常、その全面にわたって素材金属が剥き出しの状態で露出している。
【０００３】
ところで、扉を開き、室内から室外へ出ようとする者は、サムターンを探し、鍵を解錠してから、ノブを探し、ノブに手をかけてドアを開く。しかしながら、夜間であって消灯された状態では、上記構成する部品が見えにくくなる。ノブは、手探りでも探し出すことは可能であろうが、サムターンは、施錠時と解錠時とでは、その姿勢が異なり、暗いままでは、現在施錠されているのか、解錠されているのか、判断しにくい。
【０００４】
結局、明かりを付けて周囲を明るくし、サムターンに近づいて確認する他はない。この点について、特許公報１（実願平６−６７７３９号公報）は、ドアハンドルに発光部材を取り付ける技術を提案している。
【０００５】
しかしながら、これによっても、消灯時にノブの位置を確認できるだけであって、デッドボルトによる施錠／解錠の状態を把握することはできない。
【特許文献１】実願平６−６７７３９号公報
【発明の開示】
【発明が解決しようとする課題】
【０００６】
そこで本発明は、消灯時にも、デッドボルトによる施錠／解錠の状態を容易に把握できる扉用錠装置を提供することを目的とする。
【課題を解決するための手段】
【０００７】
第１の発明に係る扉用錠装置は、ノブと、ノブが回動することにより、ラッチするラッチボルトと、サムターンと、サムターンが回動することにより、扉を施錠／解錠するデッドボルトとを備える扉用錠装置であって、サムターンは、室内側に露出する基底面と、基底面から室内側へ突出するつまみとを有し、基底面とつまみの前面とのうち、一方のみに発光部材を付着させ、他方には発光部材を付着させないことにより、消灯状態においてつまみの前面が基底面から浮き上がる明暗パターンを形成する。
【０００８】
また、発光部材は、好ましくは、蓄光素材及び蛍光素材の少なくとも一方を含む。
【０００９】
この構成において、サムターンの基底面とつまみの前面とのうち、一方のみに発光部材を付着させ、他方には発光部材を付着させないことにより、消灯状態においてつまみの前面が基底面から浮き上がる明暗パターンを形成しているから、消灯時において、この一方のみが発光し、他方は発光せず暗い状態にある、明暗パターンを確認すれば、現在、サムターンが施錠状態（例えば、つまみの回転角度が第１の角度にある）であるのか、解錠状態（例えば、つまみの回転角度が第１の角度と直交する角度にある）のかを、容易に把握できる。
【００１０】
以上のことは、サムターンからかなり離れた位置からでも、明暗パターンがあるため、成立する。
【００１１】
第２の発明に係る扉用錠装置では、基底面には発光部材が付着されておらず、つまみの前面のみに発光部材が付着させてある。
【００１２】
この構成により、基底面が暗く、基底面からつまみの前面のみがライン状に明るく浮き上がって見えるコントラストが形成され、現在、サムターンが施錠状態であるのか、解錠状態であるのかを、容易に把握できる。
【００１３】
第３の発明に係る扉用錠装置では、つまみの前面には発光部材が付着されておらず、基底面のみに発光部材が付着させてある。
【００１４】
この構成により、つまみの前面が暗く、基底面が明るく、つまり、明るい背景に暗いラインが浮き彫りにされたコントラストが形成され、現在、サムターンが施錠状態であるのか、解錠状態であるのかを、容易に把握できる。
【発明の効果】
【００１５】
本発明によれば、サムターンの基底面とつまみの前面の一方のみが発光し、他方は発光せず暗い状態にある、明暗パターンを確認すれば、現在、サムターンが施錠状態であるのか、解錠状態のかを、容易に把握できる。
【発明を実施するための最良の形態】
【００１６】
以下図面を参照しながら、本発明の実施の形態を説明する。
【００１７】
図１は、本発明の一実施の形態における扉用錠装置が装着された扉を室内側から見た正面図、図２は、本発明の一実施の形態における扉の一部側面図である。
【００１８】
図１に示すように、床面１から立ち上がる玄関側壁において、所定の位置に戸枠２がこの壁に固定され、戸枠２に取り付けられる蝶番４により、扉３の一方の側面と戸枠２の内縁部とに固定される。これにより、扉３は、蝶番４の垂直な回転軸を中心として、戸枠２に開閉自在に支持される。
【００１９】
扉３の蝶番４とは反対側の側縁部の中程に、本形態の扉用の錠装置５が取り付けられる。
【００２０】
図２に示すように、この錠装置５は、室内側のノブ６と、ノブ６が回動することにより、ラッチするラッチボルト８と、サムターン９と、サムターン９が回動することにより、扉３を施錠／解錠するデッドボルト１０とを有する。また、室内側のノブ６の反対側（つまり、室外側）には、ノブ６と対称に、室外側のノブ７が設けられる。
【００２１】
ここで、本発明は、ノブ６、７を回動させると、ラッチボルト８をラッチさせる機構や、サムターン９あるいは図示していない鍵を回動させると、デッドボルト１０を突没させる機構等には、特徴を有しないものであり、周知の手段をこれらの機構に適用できるから、これらの機構の詳細な説明は省略する。
【００２２】
また、ノブ６、７は、図示している円筒状のものである必要はなく、ハンドル状等他の周知形状とすることもできる。
【００２３】
（実施の形態１）
【００２４】
実施の形態１では、サムターン９のうち、基底面９ｂは、通常の仕上げのままとし、つまみ９ａの前面（室内側に法線方向が向く面）の前面に、発光部材を付着させる。
【００２５】
発光部材は、発光性を有する樹脂を含む。この樹脂としては、ポリ塩化ビニル樹脂、ポリスチレン樹脂、ポリエチレン樹脂、ポリカーボネート樹脂、酢酸ビニル樹脂、メタクリル樹脂等の良く使用される樹脂に、残光性顔料あるいは自発光性顔料が混練させたものが好適である。
【００２６】
発光部材は、つまみ９ａの前面に塗布されていてもよいし、粘着性を有するテープ状部材に発光部材を含めたものを、つまみ９ａの前面に貼付しても差し支えない。
【００２７】
残光性顔料としては、りん光体の持つ残光性を利用した顔料でも、りん光性顔料でもよく、より具体的には、硫化亜鉛／銅蛍光体、硫化カルシウム／ビスマス蛍光体、硫化ストロンチウム／セリウム蛍光体等がある。
【００２８】
自発光性顔料は、外部から刺激を与えなくとも光って見える顔料であり、夜光顔料とも呼ばれる。例えば、硫化亜鉛にラジウム、プロメチウム、トリチウム等の放射性物質を添加したものを使用できる。
【００２９】
さらに、残光性顔料あるいは自発光性顔料とは異なり、ポリカーボネートに蛍光顔料が配合し、集光面から樹脂内に入った光を端面の方向に伝播し、光を樹脂の端面に集中して発光させる性質を有する樹脂を使用しても良い。
【００３０】
発光部材は、要するに消灯時に視認できる程度発光すれば十分であり、蓄光素材及び蛍光素材のいずれであっても良い。
【００３１】
次に、実施の形態１における明暗パターンを、図３（ａ）、（ｂ）を参照しながら説明する。
【００３２】
実施の形態１では、上述したように、サムターン９のうち、基底面９ｂは、通常の仕上げのままとし、つまみ９ａの前面（室内側に法線方向が向く面）の前面に、発光部材を付着させている。
【００３３】
したがって、消灯時には、つまみ９ａの長手方向が垂直方向を向く状態では、図３（ａ）に示すように、暗い基底面９ｂから垂直なつまみ９ａの前面が縦に明るく浮き上がる明暗パターンとなる。なお、図３（ａ）、（ｂ）及び図４（ａ）、（ｂ）において、交差斜線が付された部分が暗い部分であり、交差斜線が付されていない白い部分が明るい部分である。
【００３４】
一方、消灯時に、つまみ９ａの長手方向が水平方向を向く状態では、図３（ｂ）に示すように、暗い基底面９ｂから水平なつまみ９ａの前面が横に明るく浮き上がる明暗パターンとなる。
【００３５】
図３（ａ）、（ｂ）のいずれかが、施錠状態であり、他方は解錠状態であるが、このような対応関係は任意に定めて差し支えない。
【００３６】
（実施の形態２）
【００３７】
実施の形態２における明暗パターンを、図４（ａ）、（ｂ）を参照しながら説明する。
【００３８】
実施の形態２では、実施の形態１とは、発光部材を付着させる側と付着させない側と反転させる。つまり、サムターン９のうち、つまみ９ａの前面（室内側に法線方向が向く面）の前面を通常の仕上げのままとし、基底面９ｂに発光部材を付着させている。
【００３９】
したがって、消灯時には、つまみ９ａの長手方向が垂直方向を向く状態では、図４（ａ）に示すように、明るい基底面９ｂにより、暗く垂直なつまみ９ａの前面が縁取られて、浮き上がる明暗パターンとなる。
【００４０】
一方、消灯時に、つまみ９ａの長手方向が水平方向を向く状態では、図４（ｂ）に示すように、明るい基底面９ｂにより、暗く水平なつまみ９ａの前面が縁取られて、明るく浮き上がる明暗パターンとなる。
【００４１】
図４（ａ）、（ｂ）のいずれかが、施錠状態であり、他方は解錠状態であるが、このような対応関係は任意に定めて差し支えない。他の点は、実施の形態１と同様である。
【００４２】
以上のように、実施の形態１、２のいずれによっても、玄関内など、室内側において、照明点灯により周囲を明るくせずとも、サムターン９のつまみ９ａの角度を視認でき、それにより、施錠／解錠の何れの状態にあるかを、遠くからでも容易に確認できる。
【００４３】
また、サムターンの位置を容易に把握できるので、その付近にあるノブもサムターンからの位置関係から把握しやすく、照明点灯により周囲を明るくせずとも、扉の開閉を容易に行える効果がある。
【図面の簡単な説明】
【００４４】
【図１】本発明の一実施の形態における扉用錠装置が装着された扉を室内側から見た正面図
【図２】本発明の一実施の形態における扉の一部側面図
【図３】（ａ）本発明の一実施の形態における明暗パターン（垂直）の例示図  （ｂ）本発明の一実施の形態における明暗パターン（水平）の例示図
【図４】（ａ）本発明の他の実施の形態における明暗パターン（垂直）の例示図  （ｂ）本発明の他の実施の形態における明暗パターン（水平）の例示図
【符号の説明】
【００４５】
１  床面
２  戸枠
３  扉
４  蝶番
５  錠装置
６  室内側ノブ
７  室外側ノブ
８  ラッチボルト
９  サムターン
９ａ  つまみ
９ｂ  基底面
１０  デッドボルト
【図１】
2012067528.tif 000003
【図２】
2012067528.tif 000004
【図３】
2012067528.tif 000005
【図４】
2012067528.tif 000006
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
ノブと、
前記ノブが回動することにより、ラッチするラッチボルトと、
サムターンと、
前記サムターンが回動することにより、扉を施錠／解錠するデッドボルトとを備える扉用錠装置であって、
前記サムターンは、
室内側に露出する基底面と、
前記基底面から室内側へ突出するつまみとを有し、
前記基底面と前記つまみの前面とのうち、前記つまみの前面には発光部材が付着されておらず、前記基底面のみに発光部材が付着させてあり、消灯状態において前記つまみの前面が前記基底面から浮き上がる明暗パターンであって、暗い前記つまみの前面が明るい前記基底面の内側に縁取られて包囲される明暗パターンを形成することを特徴とする扉用錠装置。